(57)【特許請求の範囲】
【請求項１】
複数の提供情報を記憶する提供情報データベースと、移動端末と、該移動端末へ前記提供情報を送信する情報提供サーバとから構成される情報提供システムにおいて、
前記情報提供サーバは、前記提供情報の基である情報源から前記移動端末への方角を示す方角情報と、前記複数の提供情報をそれぞれ識別するために該提供情報それぞれにあらかじめ付与された提供情報識別情報とをあらかじめ対応付けて対応付け情報として記憶し、
前記移動端末は、当該移動端末の方向を示す端末方向情報を前記情報提供サーバへ送信し、
前記情報提供サーバは、前記移動端末から前記端末方向情報が送信されてきた際、該端末方向情報が示す方向とは逆の方向を、前記情報源から前記移動端末への方角として算出し、該算出した方角を示す方角情報に基づいて、前記対応付け情報から前記提供情報識別情報を検索し、該検索した提供情報識別情報が付与された提供情報を、前記提供情報データベースに記憶されている複数の提供情報の中から取得して前記移動端末へ送信し、
前記移動端末は、前記情報提供サーバから送信されてきた前記提供情報を表示することを特徴とする情報提供システム。
【請求項２】
請求項１に記載の情報提供システムにおいて、
前記対応付け情報の方角情報は、前記情報源を中心に、方角の東西南北を角度の範囲で表した情報であることを特徴とする情報提供システム。
【請求項３】
請求項１または請求項２に記載の情報提供システムにおいて、
前記移動端末は、当該移動端末の位置を示す端末位置情報を前記情報提供サーバへ送信し、
前記情報提供サーバは、前記対応付け情報として、前記方角情報とともに、前記情報源と前記移動端末との間の距離を示す距離情報も対応付けて記憶し、前記移動端末から前記端末位置情報が送信されてきた際、該端末位置情報と前記情報源の位置を示す情報源位置情報とに基づいて、前記情報源と前記移動端末との間の距離を算出し、該算出した距離を示す距離情報と前記算出した方角を示す方角情報とに基づいて、前記対応付け情報から前記提供情報識別情報を検索することを特徴とする情報提供システム。
【請求項４】
請求項１または請求項２に記載の情報提供システムにおいて、
前記移動端末は、当該移動端末の位置を示す端末位置情報を前記情報提供サーバへ送信し、
前記情報提供サーバは、前記対応付け情報として、前記方角情報とともに、前記情報源と前記移動端末との高低差を示す高低差情報も対応付けて記憶し、前記移動端末から前記端末位置情報が送信されてきた際、該端末位置情報と前記情報源の位置を示す情報源位置情報とに基づいて、前記情報源と前記移動端末との高低差を算出し、該算出した高低差を示す高低差情報と前記算出した方角を示す方角情報とに基づいて、前記対応付け情報から前記提供情報識別情報を検索することを特徴とする情報提供システム。
【請求項５】
請求項１から４のいずれか１項に記載の情報提供システムにおいて、
前記移動端末は、前記情報提供サーバから送信されてきた、前記複数の情報源をそれぞれ示す複数の情報名称から１つの情報名称が選択されると、該選択された情報名称を前記端末方向情報と共に前記情報提供サーバへ送信し、
前記情報提供サーバは、前記複数の情報名称を前記移動端末へ送信し、該移動端末から送信されてきた情報名称に対応する情報源から前記移動端末への方角に応じて、前記提供情報データベースに記憶されている複数の提供情報の中からあらかじめ設定された提供情報を取得することを特徴とする情報提供システム。
【請求項６】
複数の提供情報を記憶する提供情報データベースと接続され、移動端末へ前記提供情報を送信する情報提供サーバであって、
前記提供情報の基である情報源から前記移動端末への方角を示す方角情報と、前記複数の提供情報をそれぞれ識別するために該提供情報それぞれにあらかじめ付与された提供情報識別情報とをあらかじめ対応付けて記憶する対応付け情報記憶部と、
前記移動端末から該移動端末の方向を示す端末方向情報が送信されてきた際、該端末方向情報が示す方向とは逆の方向を、前記情報源から前記移動端末への方角として算出する相対位置算出部と、
前記相対位置算出部が算出した方角を示す方角情報に基づいて、前記対応付け情報記憶部から前記提供情報識別情報を検索する検索部と、
前記検索部が検索した提供情報識別情報が付与された提供情報を、前記提供情報データベースに記憶されている複数の提供情報の中から取得する取得部と、
前記取得部が取得した提供情報を、前記移動端末へ送信する通信部とを有する情報提供サーバ。
【請求項７】
請求項６に記載の情報提供サーバにおいて、
前記方角情報は、前記情報源を中心に、方角の東西南北を角度の範囲で表した情報であることを特徴とする情報提供サーバ。
【請求項８】
請求項６または請求項７に記載の情報提供サーバにおいて、
前記対応付け情報記憶部は、前記方角情報とともに、前記情報源と前記移動端末との間の距離を示す距離情報も対応付けて記憶し、
前記相対位置算出部は、前記移動端末から該移動端末の位置を示す端末位置情報が送信されてきた際、該端末位置情報と前記情報源の位置を示す情報源位置情報とに基づいて、前記情報源と前記移動端末との間の距離を算出し、
前記検索部は、前記相対位置算出部が算出した距離を示す距離情報と前記相対位置算出部が算出した方角を示す方角情報とに基づいて、前記対応付け情報記憶部から前記提供情報識別情報を検索することを特徴とする情報提供サーバ。
【請求項９】
請求項６または請求項７に記載の情報提供サーバにおいて、
前記対応付け情報記憶部は、前記方角情報とともに、前記情報源と前記移動端末との高低差を示す高低差情報も対応付けて記憶し、
前記相対位置算出部は、前記移動端末から該移動端末の位置を示す端末位置情報が送信されてきた際、該端末位置情報と前記情報源の位置を示す情報源位置情報とに基づいて、前記情報源と前記移動端末との高低差を算出し、
前記検索部は、前記相対位置算出部が算出した高低差を示す高低差情報と前記相対位置算出部が算出した方角を示す方角情報とに基づいて、前記対応付け情報から前記提供情報識別情報を検索することを特徴とする情報提供サーバ。
【請求項１０】
請求項６から９のいずれか１項に記載の情報提供サーバにおいて、
前記対応付け情報記憶部は、複数の情報源それぞれについて、該複数の情報源をそれぞれ示す複数の情報名称と、前記情報源の位置を示す情報源位置情報と、前記方角情報と、前記提供情報識別情報とを対応付けて記憶し、
前記通信部は、前記複数の情報名称を前記移動端末へ送信し、
前記検索部は、前記方角情報と前記複数の情報名称のうち前記移動端末から送信されてきた情報名称とに基づいて、前記対応付け情報記憶部から前記提供情報識別情報を検索することを特徴とする情報提供サーバ。
【請求項１１】
移動端末へ提供情報を送信する情報提供方法であって、
前記移動端末から該移動端末の方向を示す端末方向情報が送信されてきた際、該端末方向情報が示す方向とは逆の方向を、前記提供情報の基である情報源から前記移動端末への方角として算出する処理と、
前記算出した方角を示す方角情報に基づいて、前記方角情報と前記提供情報を識別するために該提供情報にあらかじめ付与された提供情報識別情報とをあらかじめ対応付けた対応付け情報から、前記提供情報識別情報を検索する処理と、
前記検索した提供情報識別情報が付与された提供情報を、前記提供情報を記憶する提供情報データベースから取得する処理と、
前記取得した提供情報を、前記移動端末へ送信する処理とを行う情報提供方法。
【請求項１２】
請求項１１に記載の情報提供方法において、
前記方角情報は、前記情報源を中心に、方角の東西南北を角度の範囲で表した情報であることを特徴とする情報提供方法。
【請求項１３】
請求項１１または請求項１２に記載の情報提供方法において、
前記対応付け情報は、前記方角情報と、前記提供情報識別情報と、前記情報源と前記移動端末との間の距離を示す距離情報とを対応付けたものであり、
前記移動端末から該移動端末の位置を示す端末位置情報が送信されてきた際、該端末位置情報と前記情報源の位置を示す情報源位置情報とに基づいて、前記情報源と前記移動端末との間の距離を算出する処理と、
前記算出した距離を示す距離情報と前記算出した方角を示す方角情報とに基づいて、前記対応付け情報から前記提供情報識別情報を検索する処理とを行う情報提供方法。
【請求項１４】
請求項１１または請求項１２に記載の情報提供方法において、
前記対応付け情報は、前記方角情報と、前記提供情報識別情報と、前記情報源と前記移動端末との高低差を示す高低差情報とを対応付けたものであり、
前記移動端末から該移動端末の位置を示す端末位置情報が送信されてきた際、該端末位置情報と前記情報源の位置を示す情報源位置情報とに基づいて、前記情報源と前記移動端末との高低差を算出する処理と、
前記算出した高低差を示す高低差情報と前記算出した方角を示す方角情報とに基づいて、前記対応付け情報から前記提供情報識別情報を検索する処理とを行う情報提供方法。
【請求項１５】
移動端末へ提供情報を送信する情報提供サーバに、
前記移動端末から該移動端末の方向を示す端末方向情報が送信されてきた際、該端末方向情報が示す方向とは逆の方向を、前記提供情報の基である情報源から前記移動端末への方角として算出する手順と、
前記算出した方角を示す方角情報に基づいて、前記方角情報と前記提供情報を識別するために該提供情報にあらかじめ付与された提供情報識別情報とをあらかじめ対応付けた対応付け情報から、前記提供情報識別情報を検索する手順と、
前記検索した提供情報識別情報が付与された提供情報を、前記提供情報を記憶する提供情報データベースから取得する手順と、
前記取得した提供情報を、前記移動端末へ送信する手順とを実行させるためのプログラム。
【請求項１６】
請求項１５に記載のプログラムにおいて、
前記方角情報は、前記情報源を中心に、方角の東西南北を角度の範囲で表した情報であることを特徴とするプログラム。
【請求項１７】
請求項１５または請求項１６に記載のプログラムにおいて、
前記対応付け情報は、前記方角情報と、前記提供情報識別情報と、前記情報源と前記移動端末との間の距離を示す距離情報とを対応付けたものであり、
前記移動端末から該移動端末の位置を示す端末位置情報が送信されてきた際、該端末位置情報と前記情報源の位置を示す情報源位置情報とに基づいて、前記情報源と前記移動端末との間の距離を算出する手順と、
前記算出した距離を示す距離情報と前記算出した方角を示す方角情報とに基づいて、前記対応付け情報から前記提供情報識別情報を検索する手順とを実行させるためのプログラム。
【請求項１８】
請求項１５または請求項１６に記載のプログラムにおいて、
前記対応付け情報は、前記方角情報と、前記提供情報識別情報と、前記情報源と前記移動端末との高低差を示す高低差情報とを対応付けたものであり、
前記移動端末から該移動端末の位置を示す端末位置情報が送信されてきた際、該端末位置情報と前記情報源の位置を示す情報源位置情報とに基づいて、前記情報源と前記移動端末との高低差を算出する手順と、
前記算出した高低差を示す高低差情報と前記算出した方角を示す方角情報とに基づいて、前記対応付け情報から前記提供情報識別情報を検索する手順とを実行させるためのプログラム。
【発明の詳細な説明】
【技術分野】
【０００１】
本発明は、情報を提供する情報提供システム、情報提供サーバ、情報提供方法およびプログラムに関する。
【背景技術】
【０００２】
近年、移動端末へ情報を提供する場合、当該移動端末の位置に応じた情報を提供するサービスが普及している。
【０００３】
また、移動端末の位置だけではなく、当該移動端末の向き（移動端末が向いている方向）にも応じた情報を提供する技術も考えられている（例えば、特許文献１参照。）。
【先行技術文献】
【特許文献】
【０００４】
【特許文献１】特開２００９−０８０６６２号公報
【発明の概要】
【発明が解決しようとする課題】
【０００５】
しかしながら、上述した技術においては、当該移動端末が向いている方向に応じて、配信すべき情報の検索範囲が変わるだけで、情報源の情報内容は一意の情報が提供される。そのため、情報源が多くの情報を保有していても、移動端末の所持者である閲覧者の立場に適した情報の提供がされないおそれがある。そのような場合、必要な情報が埋もれてしまうという問題点がある。
【０００６】
本発明の目的は、上述した課題を解決する情報提供システム、情報提供サーバ、情報提供方法およびプログラムを提供することである。
【課題を解決するための手段】
【０００７】
本発明の情報提供システムは、
複数の提供情報を記憶する提供情報データベースと、移動端末と、該移動端末へ前記提供情報を送信する情報提供サーバとから構成される情報提供システムにおいて、
前記情報提供サーバは、前記提供情報の基である情報源に対する移動端末の相対位置に応じて、前記提供情報データベースに記憶されている複数の提供情報の中からあらかじめ設定された提供情報を取得して前記移動端末へ送信し、
前記移動端末は、前記情報提供サーバから送信されてきた前記提供情報を表示することを特徴とする。
【０００８】
また、本発明の情報提供サーバは、
複数の提供情報を記憶する提供情報データベースと接続され、移動端末へ前記提供情報を送信する情報提供サーバであって、
前記提供情報の基である情報源の位置を示す情報源位置情報と、該情報源位置情報が示す位置に対する前記移動端末の相対位置を示す相対位置情報と、前記複数の提供情報をそれぞれ識別するために該提供情報それぞれにあらかじめ付与された提供情報識別情報とをあらかじめ対応付けて記憶する対応付け情報記憶部と、
前記移動端末の相対位置を示す相対位置情報に基づいて、前記対応付け情報記憶部から前記提供情報識別情報を検索する検索部と、
前記検索部が検索した提供情報識別情報が付与された提供情報を、前記提供情報データベースから取得する取得部と、
前記取得部が取得した提供情報を、前記移動端末へ送信する通信部とを有する。
【０００９】
また、本発明の情報提供方法は、
移動端末へ提供情報を送信する情報提供方法であって、
前記提供情報の基である情報源に対する前記移動端末の相対位置を算出する処理と、
前記算出した相対位置を示す相対位置情報に基づいて、前記相対位置情報と前記提供情報を識別するために該提供情報にあらかじめ付与された提供情報識別情報とをあらかじめ対応付けた対応付け情報から、前記提供情報識別情報を検索する処理と、
前記検索した提供情報識別情報が付与された提供情報を、前記提供情報を記憶する提供情報データベースから取得する処理と、
前記取得した提供情報を、前記移動端末へ送信する処理とを行う。
【００１０】
また、本発明のプログラムは、
移動端末へ提供情報を送信する情報提供サーバに実行させるプログラムであって、
前記提供情報の基である情報源に対する前記移動端末の相対位置を算出する手順と、
前記算出した相対位置を示す相対位置情報に基づいて、前記相対位置情報と前記提供情報を識別するために該提供情報にあらかじめ付与された提供情報識別情報とをあらかじめ対応付けた対応付け情報から、前記提供情報識別情報を検索する手順と、
前記検索した提供情報識別情報が付与された提供情報を、前記提供情報を記憶する提供情報データベースから取得する手順と、
前記取得した提供情報を、前記移動端末へ送信する手順とを実行させる。
【発明の効果】
【００１１】
以上説明したように、本発明においては、閲覧者の立場に適した情報を提供することができる。
【図面の簡単な説明】
【００１２】
【図１】本発明の情報提供システムの実施の一形態を示す図である。
【図２】図１に示した情報提供サーバの内部構成の一例を示す図である。
【図３】図２に示した対応付け情報記憶部に記憶された対応付け情報の第１の例を示す図である。
【図４】Ａ店に対する相対位置「９０°以上２７０°未満」を説明するための図である。
【図５】移動端末が図４にて斜線で示した範囲に位置する場合の移動端末とＡ店との情報のやり取りをイメージ化した図である。
【図６】Ａ店に対する相対位置「０°以上９０°未満または２７０°以上３６０°未満」を説明するための図である。
【図７】移動端末が図６にて斜線で示した範囲に位置する場合の移動端末とＡ店との情報のやり取りをイメージ化した図である。
【図８】図２に示した対応付け情報記憶部に記憶された対応付け情報の第２の例を示す図である。
【図９】Ａ店に対する相対位置「９０°以上２７０°未満、１ｋｍ未満」を説明するための図である。
【図１０】Ａ店に対する相対位置「９０°以上２７０°未満、１ｋｍ以上」を説明するための図である。
【図１１】図２に示した対応付け情報記憶部に記憶された対応付け情報の第３の例を示す図である。
【図１２】本形態における情報提供方法を説明するためのシーケンス図である。
【図１３】ステップＳ２にて移動端末に表示されるメニュー情報の一例を示す図である。
【図１４】ステップＳ１０にて移動端末に表示される提供情報の一例を示す図である。
【図１５】ステップＳ１０にて移動端末に表示される提供情報の他の例を示す図である。
【図１６】情報源に対する移動端末の相対位置と逆側の情報を送信する場合の動作を説明するための図である。
【発明を実施するための形態】
【００１３】
以下に、本発明の実施の形態について図面を参照して説明する。
【００１４】
図１は、本発明の情報提供システムの実施の一形態を示す図である。
【００１５】
本形態は図１に示すように、情報提供サーバ１００と、提供情報データベース２００と、移動端末３００−１〜３００−２と、ネットワーク４００とから構成されている。なお、図１に示した形態においては、移動端末が２台である場合を例に挙げて示したが、その台数は規定しない。
【００１６】
提供情報データベース２００は、移動端末３００−１〜３００−２へ提供する複数の提供情報を記憶する。この提供情報データベース２００は、提供情報の基である店舗や駅、施設等のそれぞれに具備されているものであっても良い。つまり、物理的に複数に分かれて複数の場所それぞれに設置されているものであっても良いし、物理的に１つのデータベースであっても良く、情報提供サーバ１００がアクセス可能な形態であれば良い。情報源は、これら提供情報の配信の基となり、例えば、情報源がＡ店である場合、その提供情報は、Ａ店のフロア情報や、Ａ店にて販売されている商品の広告、Ａ店において開催されるイベント情報、Ａ点を利用することにより得する情報等、一般の利用者に対してＡ店の利用を促すための情報やＡ店について案内する情報である。
【００１７】
移動端末３００−１〜３００−２は、無線通信機能を有する携帯端末である。また、移動端末３００−１〜３００−２は、移動端末３００−１〜３００−２の現在の位置を示す位置情報（端末位置情報）を取得する。この取得は、ＧＰＳ（Ｇｌｏｂａｌ  Ｐｏｓｉｔｉｏｎｉｎｇ  Ｓｙｓｔｅｍ）機能を用いて取得するものであっても良いし、無線通信を行う携帯端末（携帯電話を含む）などの通信基地局から提供される情報や、無線ＬＡＮ基地局からの受信状況から推定した情報などから位置情報を取得できるものであれば良い。また、移動端末３００−１〜３００−２は、取得した端末位置情報を情報提供サーバ１００へ送信する。また、移動端末３００−１〜３００−２は、情報提供サーバ１００から送信されてきたメニュー情報や提供情報を表示する。この表示には、移動端末３００−１〜３００−２に一般的に具備されているディスプレイを用いるものであれば良い。また、表示されたメニュー情報にしたがって入力された情報を情報提供サーバ１００へ送信する。また、移動端末３００−１〜３００−２は、電子コンパスを搭載しているものであっても良い。この場合、移動端末３００−１〜３００−２の向き（方向）を取得することができ、この向き（方向）を示す方向情報を端末位置情報と共に情報提供サーバ１００へ送信するものであっても良い。これにより、移動端末３００−１〜３００−２がどの方向から情報を取得しようとしているかを情報提供サーバ１００で認識することができる。
【００１８】
ネットワーク４００は、一般的な通信ネットワークであり、情報提供サーバ１００と、移動端末３００−１〜３００−２とを接続する。
【００１９】
情報提供サーバ１００は、移動端末３００−１〜３００−２から送信されてきた端末位置情報または方向情報を受信し、情報源の位置に対する当該端末位置情報が示す位置である相対位置に応じて、提供情報データベース２００に記憶されている複数の提供情報の中からあらかじめ設定された提供情報を取得して移動端末３００−１〜３００−２へ送信する。
【００２０】
図２は、図１に示した情報提供サーバ１００の内部構成の一例を示す図である。
【００２１】
図１に示した情報提供サーバ１００には図２に示すように、メニュー記憶部１１０と、対応付け情報記憶部１２０と、相対位置算出部１３０と、検索部１４０と、取得部１５０と、通信部１６０とが設けられている。なお、図２には、図１に示した情報提供サーバ１００を構成する構成要素のうち、本発明に係わる構成要素のみを示した。
【００２２】
メニュー記憶部１１０は、複数の情報源の中から移動端末３００−１〜３００−２を操作する者が所望の情報源を選択するためのメニュー画面を表示するためのメニュー情報を記憶する。このメニュー情報は、あらかじめ設定されている。
【００２３】
対応付け情報記憶部１２０は、情報源の位置を示す情報源位置情報と、情報源位置情報が示す位置に対する移動端末３００−１〜３００−２から送信されてくる端末位置情報によって示される位置である相対位置を示す相対位置情報と、提供情報データベース２００に記憶されている複数の提供情報をそれぞれ識別するために提供情報それぞれにあらかじめ付与された提供情報識別情報とをあらかじめ対応付けて記憶する。また、対応付け情報記憶部１２０は、複数の情報源それぞれについて、複数の情報源をそれぞれ示す複数の情報名称と、情報源位置情報と、相対位置情報と、提供情報識別情報とを対応付けて記憶するものであっても良い。また、対応付け情報記憶部１２０は、提供情報識別情報として、提供情報データベース２００内で該当する提供情報の記憶領域を示す記憶領域情報を記憶するものであっても良い。また、対応付け情報記憶部１２０は、相対位置情報として、情報源の位置に対する移動端末３００−１〜３００−２から送信されてきた端末位置情報が示す位置の方角を記憶するものであっても良い。
【００２４】
図３は、図２に示した対応付け情報記憶部１２０に記憶された対応付け情報の第１の例を示す図である。
【００２５】
図２に示した対応付け情報記憶部１２０には図３に示すように、情報名称と、情報源位置情報と、方角範囲と、提供情報識別情報とが対応付けられて記憶されている。ここで、方角範囲は、情報源の位置に対する相対位置を示す相対位置情報である。
【００２６】
例えば図３に示すように、情報名称「Ａ店」と、情報源位置情報「北緯：○○°○○′○○″、東経：△△°△△′△△″」と、方角範囲「９０°以上２７０°未満」と、提供情報識別情報「南館のフロア情報、ｈｔｔｐ：／／ａ−ｔｅｎ／ｆｌｏｏｒ＿ｓ．ｈｔｍ」とが対応付けられて対応付け情報として記憶されている。これは、「北緯：○○°○○′○○″、東経：△△°△△′△△″」に位置するＡ店に対する相対位置（方角）が「９０°以上２７０°未満」の範囲に位置する移動端末へ送信する提供情報の提供情報識別情報は「南館のフロア情報、ｈｔｔｐ：／／ａ−ｔｅｎ／ｆｌｏｏｒ＿ｓ．ｈｔｍ」であることを示している。ここで、方角範囲が「９０°以上２７０°未満」としているが、この角度の基準はシステムで統一されていれば良く、特に規定しない。例えば、図３に示した方角範囲は、情報源に対する相対位置として真北を０°（基準）として、時計回りに角度を設定しているものである。この場合、相対位置が真東である場合は、９０°、相対位置が真南である場合は、１８０°、相対位置が真西である場合は、２７０°となる。
【００２７】
図４は、Ａ店に対する相対位置「９０°以上２７０°未満」を説明するための図である。
【００２８】
図４に示すように、情報源であるＡ店を中心に、真北を０°として時計回りに角度を設定している。そのため、方角範囲「９０°以上２７０°未満」は斜線で示した範囲となる。
【００２９】
図５は、移動端末３００−１が図４にて斜線で示した範囲に位置する場合の移動端末３００−１とＡ店との情報のやり取りをイメージ化した図である。
【００３０】
図５に示すように、移動端末３００−１が、Ａ店５００に対して９０°以上２７０°未満である範囲に位置する場合、移動端末３００−１から移動端末３００−１の端末位置情報が送信されると、図３に示した対応付け情報に基づいて、南館のフロア情報が移動端末３００−１へ送信される。ここで、図５において、情報のやり取りが移動端末３００−１とＡ店５００との間で行われているように示しているが、これは説明をわかりやすくするために図示したものであり、実際の信号の送受信は、移動端末３００−１と情報提供サーバ１００との間で行われる。
【００３１】
また、図３に示すように、情報名称「Ａ店」と、情報源位置情報「北緯：○○°○○′○○″、東経：△△°△△′△△″」と、方角範囲「０°以上９０°未満または２７０°以上３６０°未満」と、提供情報識別情報「北館のフロア情報、ｈｔｔｐ：／／ａ−ｔｅｎ／ｆｌｏｏｒ＿ｎ．ｈｔｍ」とが対応付けられて対応付け情報として記憶されている。これは、「北緯：○○°○○′○○″、東経：△△°△△′△△″」に位置するＡ店に対する相対位置（方角）が「０°以上９０°未満または２７０°以上３６０°未満」の範囲に位置する移動端末へ送信する提供情報の提供情報識別情報は「北館のフロア情報、ｈｔｔｐ：／／ａ−ｔｅｎ／ｆｌｏｏｒ＿ｎ．ｈｔｍ」であることを示している。
【００３２】
図６は、Ａ店に対する相対位置「０°以上９０°未満または２７０°以上３６０°未満」を説明するための図である。
【００３３】
図６に示すように、情報源であるＡ店を中心に、真北を０°として時計回りに角度を設定している。そのため、方角範囲「０°以上９０°未満または２７０°以上３６０°未満」は斜線で示した範囲となる。
【００３４】
図７は、移動端末３００−１が図６にて斜線で示した範囲に位置する場合の移動端末３００−１とＡ店との情報のやり取りをイメージ化した図である。
【００３５】
図７に示すように、移動端末３００−１が、Ａ店５００に対して０°以上９０°未満または２７０°以上３６０°未満である範囲に位置する場合、移動端末３００−１から移動端末３００−１の端末位置情報が送信されると、図３に示した対応付け情報に基づいて、北館のフロア情報が移動端末３００−１へ送信される。ここで、図７において、情報のやり取りが移動端末３００−１とＡ店５００との間で行われているように示しているが、これは説明をわかりやすくするために図示したものであり、実際の信号の送受信は、移動端末３００−１と情報提供サーバ１００との間で行われる。
【００３６】
また、図３に示すように、情報名称「Ｂ店」と、情報源位置情報「北緯：□□°□□′□□″、東経：××°××′××″」と、方角範囲「０°以上１８０°未満」と、提供情報識別情報「Ｐ社の広告、ｈｔｔｐ：／／ｂ−ｔｅｎ／ａｄ／ｐ．ｈｔｍ」とが対応付けられて対応付け情報として記憶されている。これは、「北緯：□□°□□′□□″、東経：××°××′××″」に位置するＢ店に対する相対位置（方角）が「０°以上１８０°未満」の範囲に位置する移動端末へ送信する提供情報の提供情報識別情報は「Ｐ社の広告、ｈｔｔｐ：／／ｂ−ｔｅｎ／ａｄ／ｐ．ｈｔｍ」であることを示している。
【００３７】
また、図３に示すように、情報名称「Ｂ店」と、情報源位置情報「北緯：□□°□□′□□″、東経：××°××′××″」と、方角範囲「１８０°以上３６０°未満」と、提供情報識別情報「Ｑ社の広告、ｈｔｔｐ：／／ｂ−ｔｅｎ／ａｄ／ｑ．ｈｔｍ」とが対応付けられて対応付け情報として記憶されている。これは、「北緯：□□°□□′□□″、東経：××°××′××″」に位置するＢ店に対する相対位置（方角）が「１８０°以上３６０°未満」の範囲に位置する移動端末へ送信する提供情報の提供情報識別情報は「Ｑ社の広告、ｈｔｔｐ：／／ｂ−ｔｅｎ／ａｄ／ｑ．ｈｔｍ」であることを示している。
【００３８】
また、対応付け情報記憶部１２０は、相対位置情報として、情報源の位置に対する移動端末３００−１〜３００−２から送信されてきた端末位置情報が示す位置の方角および情報源から移動端末３００−１〜３００−２までの距離を記憶するものであっても良い。
【００３９】
図８は、図２に示した対応付け情報記憶部１２０に記憶された対応付け情報の第２の例を示す図である。
【００４０】
図２に示した対応付け情報記憶部１２０には図８に示すように、情報名称と、情報源位置情報と、方角範囲と、距離範囲と、提供情報識別情報とが対応付けられて記憶されている。ここで、方角範囲は、情報源の位置に対する相対位置を示す相対位置情報である。また、距離範囲は、情報源からの距離を示す情報である。つまり、方角範囲と距離範囲とが相対位置情報として記憶されている。
【００４１】
例えば図８に示すように、情報名称「Ａ店」と、情報源位置情報「北緯：○○°○○′○○″、東経：△△°△△′△△″」と、方角範囲「９０°以上２７０°未満」と、距離範囲「１ｋｍ未満」と、提供情報識別情報「南館のフロア情報、ｈｔｔｐ：／／ａ−ｔｅｎ／ｆｌｏｏｒ＿ｓ．ｈｔｍ」とが対応付けられて対応付け情報として記憶されている。これは、「北緯：○○°○○′○○″、東経：△△°△△′△△″」に位置するＡ店に対する相対位置（方角）が「９０°以上２７０°未満」の範囲で且つ情報源から１ｋｍ未満の距離に位置する移動端末へ送信する提供情報の提供情報識別情報は「南館のフロア情報、ｈｔｔｐ：／／ａ−ｔｅｎ／ｆｌｏｏｒ＿ｓ．ｈｔｍ」であることを示している。なお、方角範囲の基準については、図３を用いて説明したものと同じである。
【００４２】
図９は、Ａ店に対する相対位置「９０°以上２７０°未満、１ｋｍ未満」を説明するための図である。
【００４３】
図９に示すように、情報源であるＡ店を中心に、真北を０°として時計回りに「９０°以上２７０°未満」となる角度を設定し、且つＡ点からの距離が１ｋｍ未満である範囲は斜線で示した範囲となる。
【００４４】
また、図８に示すように、情報名称「Ａ店」と、情報源位置情報「北緯：○○°○○′○○″、東経：△△°△△′△△″」と、方角範囲「９０°以上２７０°未満」と、距離範囲「１ｋｍ以上」と、提供情報識別情報「南館への地図情報、ｈｔｔｐ：／／ａ−ｔｅｎ／ｒｏｕｔｅ＿ｓ．ｈｔｍ」とが対応付けられて対応付け情報として記憶されている。これは、「北緯：○○°○○′○○″、東経：△△°△△′△△″」に位置するＡ店に対する相対位置（方角）が「９０°以上２７０°未満」の範囲で且つ情報源から１ｋｍ以上の距離に位置する移動端末へ送信する提供情報の提供情報識別情報は「南館への地図情報、ｈｔｔｐ：／／ａ−ｔｅｎ／ｒｏｕｔｅ＿ｓ．ｈｔｍ」であることを示している。
【００４５】
図１０は、Ａ店に対する相対位置「９０°以上２７０°未満、１ｋｍ以上」を説明するための図である。
【００４６】
図１０に示すように、情報源であるＡ店を中心に、真北を０°として時計回りに「９０°以上２７０°未満」となる角度を設定し、かつＡ点からの距離が１ｋｍ以上である範囲は斜線で示した範囲となる。
【００４７】
また、図８に示すように、情報名称「Ａ店」と、情報源位置情報「北緯：○○°○○′○○″、東経：△△°△△′△△″」と、方角範囲「０°以上９０°未満または２７０°以上３６０°未満」と、距離範囲「１ｋｍ未満」と、提供情報識別情報「北館のフロア情報、ｈｔｔｐ：／／ａ−ｔｅｎ／ｆｌｏｏｒ＿ｎ．ｈｔｍ」とが対応付けられて対応付け情報として記憶されている。これは、「北緯：○○°○○′○○″、東経：△△°△△′△△″」に位置するＡ店に対する相対位置（方角）が「０°以上９０°未満または２７０°以上３６０°未満」の範囲で且つ情報源から１ｋｍ未満の距離に位置する移動端末へ送信する提供情報の提供情報識別情報は「北館のフロア情報、ｈｔｔｐ：／／ａ−ｔｅｎ／ｆｌｏｏｒ＿ｎ．ｈｔｍ」であることを示している。
【００４８】
また、図８に示すように、情報名称「Ａ店」と、情報源位置情報「北緯：○○°○○′○○″、東経：△△°△△′△△″」と、方角範囲「０°以上９０°未満または２７０°以上３６０°未満」と、距離範囲「１ｋｍ以上」と、提供情報識別情報「北館への地図情報、ｈｔｔｐ：／／ａ−ｔｅｎ／ｒｏｕｔｅ＿ｎ．ｈｔｍ」とが対応付けられて対応付け情報として記憶されている。これは、「北緯：○○°○○′○○″、東経：△△°△△′△△″」に位置するＡ店に対する相対位置（方角）が「０°以上９０°未満または２７０°以上３６０°未満」の範囲で且つ情報源から１ｋｍ以上の距離に位置する移動端末へ送信する提供情報の提供情報識別情報は「北館への地図情報、ｈｔｔｐ：／／ａ−ｔｅｎ／ｒｏｕｔｅ＿ｎ．ｈｔｍ」であることを示している。
【００４９】
また、図８に示すように、情報名称「Ｂ店」と、情報源位置情報「北緯：□□°□□′□□″、東経：××°××′××″」と、方角範囲「０°以上１８０°未満」と、距離範囲「５ｋｍ未満」と、提供情報識別情報「Ｐ社の広告、ｈｔｔｐ：／／ｂ−ｔｅｎ／ａｄ／ｐ．ｈｔｍ」とが対応付けられて対応付け情報として記憶されている。これは、「北緯：□□°□□′□□″、東経：××°××′××″」に位置するＢ店に対する相対位置（方角）が「０°以上１８０°未満」の範囲で且つ情報源から５ｋｍ未満の距離に位置する移動端末へ送信する提供情報の提供情報識別情報は「Ｐ社の広告、ｈｔｔｐ：／／ｂ−ｔｅｎ／ａｄ／ｐ．ｈｔｍ」であることを示している。
【００５０】
また、図８に示すように、情報名称「Ｂ店」と、情報源位置情報「北緯：□□°□□′□□″、東経：××°××′××″」と、方角範囲「０°以上１８０°未満」と、距離範囲「５ｋｍ以上」と、提供情報識別情報「Ｒ社の広告、ｈｔｔｐ：／／ｂ−ｔｅｎ／ａｄ／ｒ．ｈｔｍ」とが対応付けられて対応付け情報として記憶されている。これは、「北緯：□□°□□′□□″、東経：××°××′××″」に位置するＢ店に対する相対位置（方角）が「０°以上１８０°未満」の範囲で且つ情報源から５ｋｍ以上の距離に位置する移動端末へ送信する提供情報の提供情報識別情報は「Ｒ社の広告、ｈｔｔｐ：／／ｂ−ｔｅｎ／ａｄ／ｒ．ｈｔｍ」であることを示している。
【００５１】
また、図８に示すように、情報名称「Ｂ店」と、情報源位置情報「北緯：□□°□□′□□″、東経：××°××′××″」と、方角範囲「１８０°以上３６０°未満」と、距離範囲「５ｋｍ未満」と、提供情報識別情報「Ｑ社の広告、ｈｔｔｐ：／／ｂ−ｔｅｎ／ａｄ／ｑ．ｈｔｍ」とが対応付けられて対応付け情報として記憶されている。これは、「北緯：□□°□□′□□″、東経：××°××′××″」に位置するＢ店に対する相対位置（方角）が「１８０°以上３６０°未満」の範囲で且つ情報源から５ｋｍ未満の距離に位置する移動端末へ送信する提供情報の提供情報識別情報は「Ｑ社の広告、ｈｔｔｐ：／／ｂ−ｔｅｎ／ａｄ／ｑ．ｈｔｍ」であることを示している。
【００５２】
また、図８に示すように、情報名称「Ｂ店」と、情報源位置情報「北緯：□□°□□′□□″、東経：××°××′××″」と、方角範囲「１８０°以上３６０°未満」と、距離範囲「５ｋｍ以上」と、提供情報識別情報「Ｓ社の広告、ｈｔｔｐ：／／ｂ−ｔｅｎ／ａｄ／ｓ．ｈｔｍ」とが対応付けられて対応付け情報として記憶されている。これは、「北緯：□□°□□′□□″、東経：××°××′××″」に位置するＢ店に対する相対位置（方角）が「１８０°以上３６０°未満」の範囲で且つ情報源から５ｋｍ以上の距離に位置する移動端末へ送信する提供情報の提供情報識別情報は「Ｓ社の広告、ｈｔｔｐ：／／ｂ−ｔｅｎ／ａｄ／ｓ．ｈｔｍ」であることを示している。
【００５３】
また、対応付け情報記憶部１２０は、相対位置情報として、情報源の位置に対する移動端末３００−１〜３００−２から送信されてきた端末位置情報が示す位置の方角および情報源と移動端末３００−１〜３００−２との高低差範囲を記憶するものであっても良い。
【００５４】
図１１は、図２に示した対応付け情報記憶部１２０に記憶された対応付け情報の第３の例を示す図である。
【００５５】
図２に示した対応付け情報記憶部１２０には図１１に示すように、情報名称と、情報源位置情報と、方角範囲と、高低差範囲と、提供情報識別情報とが対応付けられて記憶されている。ここで、方角範囲は、情報源の位置に対する相対位置を示す相対位置情報である。また、高低差範囲は、情報源と移動端末３００−１〜３００−２との高低差を示す情報である。つまり、方角範囲と高低差範囲とが相対位置情報として記憶されている。なお、高低差は、一般的に、移動端末３００−１〜３００−２が情報源の１階に相当する位置に存在するとして、情報源、例えば、Ａ店の２階、３階等の階数に応じたものであっても良い。つまり、高低差範囲が「１０ｍ未満」と対応付けられた提供情報は、高度１０ｍ未満に位置する階の情報ということになる。
【００５６】
例えば図１１に示すように、情報名称「Ａ店」と、情報源位置情報「北緯：○○°○○′○○″、東経：△△°△△′△△″」と、方角範囲「９０°以上２７０°未満」と、高低差範囲「１０ｍ未満」と、提供情報識別情報「南館のフロア情報、ｈｔｔｐ：／／ａ−ｔｅｎ／ｆｌｏｏｒ＿ｓ．ｈｔｍ」とが対応付けられて対応付け情報として記憶されている。これは、「北緯：○○°○○′○○″、東経：△△°△△′△△″」に位置するＡ店に対する相対位置（方角）が「９０°以上２７０°未満」の範囲で且つ情報源との高低差が１０ｍ未満に位置する移動端末へ送信する提供情報の提供情報識別情報は「南館のフロア情報、ｈｔｔｐ：／／ａ−ｔｅｎ／ｆｌｏｏｒ＿ｓ．ｈｔｍ」であることを示している。
【００５７】
また、図１１に示すように、情報名称「Ａ店」と、情報源位置情報「北緯：○○°○○′○○″、東経：△△°△△′△△″」と、方角範囲「９０°以上２７０°未満」と、高低差範囲「１０ｍ以上」と、提供情報識別情報「イベント情報、ｈｔｔｐ：／／ａ−ｔｅｎ／ｅｖｅｎｔ．ｈｔｍ」とが対応付けられて対応付け情報として記憶されている。これは、「北緯：○○°○○′○○″、東経：△△°△△′△△″」に位置するＡ店に対する相対位置（方角）が「９０°以上２７０°未満」の範囲で且つ情報源との高低差が１０ｍ以上に位置する移動端末へ送信する提供情報の提供情報識別情報は「イベント情報、ｈｔｔｐ：／／ａ−ｔｅｎ／ｅｖｅｎｔ．ｈｔｍ」であることを示している。
【００５８】
また、図１１に示すように、情報名称「Ａ店」と、情報源位置情報「北緯：○○°○○′○○″、東経：△△°△△′△△″」と、方角範囲「０°以上９０°未満または２７０°以上３６０°未満」と、高低差範囲「１０ｍ未満」と、提供情報識別情報「北館のフロア情報、ｈｔｔｐ：／／ａ−ｔｅｎ／ｆｌｏｏｒ＿ｎ．ｈｔｍ」とが対応付けられて対応付け情報として記憶されている。これは、「北緯：○○°○○′○○″、東経：△△°△△′△△″」に位置するＡ店に対する相対位置（方角）が「０°以上９０°未満または２７０°以上３６０°未満」の範囲で且つ情報源との高低差が１０ｍ未満に位置する移動端末へ送信する提供情報の提供情報識別情報は「北館のフロア情報、ｈｔｔｐ：／／ａ−ｔｅｎ／ｆｌｏｏｒ＿ｎ．ｈｔｍ」であることを示している。
【００５９】
また、図１１に示すように、情報名称「Ａ店」と、情報源位置情報「北緯：○○°○○′○○″、東経：△△°△△′△△″」と、方角範囲「０°以上９０°未満または２７０°以上３６０°未満」と、高低差範囲「１０ｍ以上」と、提供情報識別情報「イベント情報、ｈｔｔｐ：／／ａ−ｔｅｎ／ｅｖｅｎｔ．ｈｔｍ」とが対応付けられて対応付け情報として記憶されている。これは、「北緯：○○°○○′○○″、東経：△△°△△′△△″」に位置するＡ店に対する相対位置（方角）が「０°以上９０°未満または２７０°以上３６０°未満」の範囲で且つ情報源との高低差が１０ｍ以上に位置する移動端末へ送信する提供情報の提供情報識別情報は「イベント情報、ｈｔｔｐ：／／ａ−ｔｅｎ／ｅｖｅｎｔ．ｈｔｍ」であることを示している。
【００６０】
また、図１１に示すように、情報名称「Ｂ店」と、情報源位置情報「北緯：□□°□□′□□″、東経：××°××′××″」と、方角範囲「０°以上１８０°未満」と、高低差範囲「１０ｍ未満」と、提供情報識別情報「Ｐ社の広告、ｈｔｔｐ：／／ｂ−ｔｅｎ／ａｄ／ｐ．ｈｔｍ」とが対応付けられて対応付け情報として記憶されている。これは、「北緯：□□°□□′□□″、東経：××°××′××″」に位置するＢ店に対する相対位置（方角）が「０°以上１８０°未満」の範囲で且つ情報源との高低差が１０ｍ未満に位置する移動端末へ送信する提供情報の提供情報識別情報は「Ｐ社の広告、ｈｔｔｐ：／／ｂ−ｔｅｎ／ａｄ／ｐ．ｈｔｍ」であることを示している。
【００６１】
また、図１１に示すように、情報名称「Ｂ店」と、情報源位置情報「北緯：□□°□□′□□″、東経：××°××′××″」と、方角範囲「０°以上１８０°未満」と、高低差範囲「１０ｍ以上」と、提供情報識別情報「Ｔ社の広告、ｈｔｔｐ：／／ｂ−ｔｅｎ／ａｄ／ｔ．ｈｔｍ」とが対応付けられて対応付け情報として記憶されている。これは、「北緯：□□°□□′□□″、東経：××°××′××″」に位置するＢ店に対する相対位置（方角）が「０°以上１８０°未満」の範囲で且つ情報源との高低差が１０ｍ以上に位置する移動端末へ送信する提供情報の提供情報識別情報は「Ｔ社の広告、ｈｔｔｐ：／／ｂ−ｔｅｎ／ａｄ／ｔ．ｈｔｍ」であることを示している。
【００６２】
また、図１１に示すように、情報名称「Ｂ店」と、情報源位置情報「北緯：□□°□□′□□″、東経：××°××′××″」と、方角範囲「１８０°以上３６０°未満」と、高低差範囲「１０ｍ未満」と、提供情報識別情報「Ｑ社の広告、ｈｔｔｐ：／／ｂ−ｔｅｎ／ａｄ／ｑ．ｈｔｍ」とが対応付けられて対応付け情報として記憶されている。これは、「北緯：□□°□□′□□″、東経：××°××′××″」に位置するＢ店に対する相対位置（方角）が「１８０°以上３６０°未満」の範囲で且つ情報源との高低差が１０ｍ未満に位置する移動端末へ送信する提供情報の提供情報識別情報は「Ｑ社の広告、ｈｔｔｐ：／／ｂ−ｔｅｎ／ａｄ／ｑ．ｈｔｍ」であることを示している。
【００６３】
また、図１１に示すように、情報名称「Ｂ店」と、情報源位置情報「北緯：□□°□□′□□″、東経：××°××′××″」と、方角範囲「１８０°以上３６０°未満」と、高低差範囲「１０ｍ以上」と、提供情報識別情報「Ｕ社の広告、ｈｔｔｐ：／／ｂ−ｔｅｎ／ａｄ／ｕ．ｈｔｍ」とが対応付けられて対応付け情報として記憶されている。これは、「北緯：□□°□□′□□″、東経：××°××′××″」に位置するＢ店に対する相対位置（方角）が「１８０°以上３６０°未満」の範囲で且つ情報源との高低差が１０ｍ以上に位置する移動端末へ送信する提供情報の提供情報識別情報は「Ｕ社の広告、ｈｔｔｐ：／／ｂ−ｔｅｎ／ａｄ／ｕ．ｈｔｍ」であることを示している。
【００６４】
また、相対位置算出部１３０は、移動端末３００−１〜３００−２から端末位置情報が送信されてきた際、送信されてきた端末位置情報と情報源位置情報とに基づいて、相対位置を算出する。この算出方法は、上述したように情報源に対する移動端末の相対位置となる方角や距離が算出できるものであれば、どのような方法を用いても良い。例えば、端末位置情報が示す緯度および経度と、情報源位置情報が示す緯度および経度とから、方角や距離を算出するものであっても良い。緯度および経度から方角を算出する場合、経度をＸ座標、緯度をＹ座標とし、端末位置情報が示す座標と、情報源位置情報が示す座標との差分を算出し、その算出した差分から角度（方角）を算出するものであっても良い。
【００６５】
また、相対位置算出部１３０は、電子コンパスを搭載した移動端末３００−１〜３００−２から方向情報が送信されてきた場合は、当該方向情報と情報源位置情報とに基づいて、相対位置を算出する。例えば、方向情報が「南」を示すものである場合、移動端末３００−１〜３００−２は、情報源に対して北に位置していることになるため、相対位置は「北」となる。
【００６６】
また、相対位置算出部１３０は、算出した相対位置を示す相対位置情報を検索部１４０へ出力する。
【００６７】
検索部１４０は、相対位置算出部１３０から出力されてきた相対位置情報に基づいて、対応付け情報記憶部１２０から提供情報識別情報を検索する。このとき、移動端末３００−１〜３００−２から情報名称が送信されてきている場合、当該情報名称も検索するキーワードとする。例えば、移動端末３００−１〜３００−２から情報名称「Ａ店」が送信され、また、相対位置算出部１３０から出力されてきた相対位置情報が「１８０°」であり、対応付け情報記憶部１２０に図３に示した対応付け情報が記憶されている場合、情報名称「Ａ店」および方角範囲「９０°以上２７０°未満」と対応付けられて記憶されている提供情報識別情報「南館のフロア情報、ｈｔｔｐ：／／ａ−ｔｅｎ／ｆｌｏｏｒ＿ｓ．ｈｔｍ」が検索される。また、検索部１４０は、検索した提供情報識別情報を取得部１５０へ出力する。
【００６８】
なお、図２に示した情報提供サーバ１００に設けられた各構成要素のうち、全てもしくは、一部の構成要素が移動端末３００−１〜３００−２に設けられているものであっても良い。例えば、相対位置算出部１３０および検索部１４０は、移動端末３００−１〜３００−２に設けられているものであっても良い。この場合、移動端末３００−１〜３００−２は、情報提供サーバ１００から情報源の位置を取得し、移動端末３００−１〜３００−２の位置と、情報提供サーバ１００から取得した情報源の位置とに基づいて、相対位置を算出し、算出した相対位置に基づいて、情報提供サーバ１００から提供情報識別情報を検索するものであっても良い。
【００６９】
取得部１５０は、検索部１４０から出力されてきた提供情報識別情報が付与された提供情報を、提供情報データベース２００から取得する。この取得方法は特に規定しないが、例えば、上述したように提供情報が記憶されているＵＲＬ等の記憶領域情報が提供情報識別情報であれば、当該記憶領域情報が示す記憶領域にアクセススすることで、提供情報を取得する。また、取得部１５０は、提供情報データベース２００から取得した提供情報を通信部１６０へ出力する。
【００７０】
通信部１６０は、ネットワーク４００を介して移動端末３００−１〜３００−２との間での通信を行うネットワークインタフェース部である。例えば、通信部１６０は、取得部１５０から出力されてきた提供情報をネットワーク４００を介して移動端末３００−１〜３００−２へ送信する。また、通信部１６０は、メニュー記憶部１１０から上述したメニュー情報（複数の情報名称を含む）を読み出して、ネットワーク４００を介して移動端末３００−１〜３００−２へ送信する。
【００７１】
以下に、本形態における情報提供方法について説明する。ここでは、移動端末３００−１へ提供情報が送信される場合を例に挙げて説明する。
【００７２】
図１２は、本形態における情報提供方法を説明するためのシーケンス図である。
【００７３】
まず、情報提供サーバ１００の通信部１６０によって、メニュー記憶部１１０からメニュー情報が読み出され、読み出されたメニュー情報が通信部１６０からネットワーク４００を介して移動端末３００−１へ送信される（ステップＳ１）。なお、このステップＳ１の処理は、移動端末３００−１から所定の信号が送信されてきたことをトリガとして行われるものであっても良い。例えば、移動端末３００−１にキーワードを含む検索要求が入力されると、その検索要求が移動端末３００−１から情報提供サーバ１００へ送信され、当該検索要求が情報提供サーバ１００にて受信されると、送信されてきたキーワードに基づいて情報名称または情報源と対応付けられたキーワード群（不図示）から該当する情報源が抽出され、抽出された情報源が一覧となった抽出結果であるメニュー情報が生成され、ステップＳ１の処理が行われるものであっても良い。
【００７４】
すると、移動端末３００−１にて、情報提供サーバ１００から送信されてきたメニュー情報が表示される（ステップＳ２）。
【００７５】
図１３は、ステップＳ２にて移動端末３００−１に表示されるメニュー情報の一例を示す図である。ここでは、メニュー情報に含まれる情報名称が「Ａ店」および「Ｂ店」である場合を例に挙げて説明する。
【００７６】
図１３に示すように、移動端末３００−１を操作する者が情報源として「Ａ店」と「Ｂ店」とのどちらか一方を選択するための画面が表示される。「Ａ店」の表示と「Ｂ店」の表示とのそれぞれにラジオボタンが表示され、どちらか一方のラジオボタンを選択した後、決定を選択することにより、情報源が決定される。
【００７７】
ステップＳ２にて表示されたメニュー情報に応じて、必要な情報の入力（ここでは情報名称の入力）が受け付けられると（ステップＳ３）、移動端末３００−１にて移動端末３００−１の現在の位置を示す端末位置情報が取得される（ステップＳ４）。この端末位置情報の取得方法は、上述したように特に規定しない。
【００７８】
端末位置情報が取得されると、情報名称と端末位置情報とが移動端末３００−１からネットワーク４００を介して情報提供サーバ１００へ送信される（ステップＳ５）。
【００７９】
情報名称と端末位置情報とが移動端末３００−１からネットワーク４００を介して情報提供サーバ１００へ送信されてくると、送信されてきた情報名称と端末位置情報とに基づいて、情報名称が付与された情報源に対する移動端末３００−１の相対位置が相対位置算出部１３０によって算出される（ステップＳ６）。具体的な算出方法は、移動端末３００−１から送信されてきた情報名称に基づいて、対応付け情報記憶部１２０から情報源位置情報が読み出され、読み出された情報源位置情報と、移動端末３００−１から送信されてきた端末位置情報とから相対位置が算出される。
【００８０】
続いて、算出された相対位置を示す相対位置情報に基づいて、検索部１４０によって対応付け情報記憶部１２０から提供情報識別情報が検索される（ステップＳ７）。
【００８１】
すると、検索された提供情報識別情報に基づいて、提供情報が取得部１５０によって提供情報データベース２００から取得される（ステップＳ８）。
【００８２】
そして、取得された提供情報が通信部１６０からネットワーク４００を介して移動端末３００−１へ送信される（ステップＳ９）。
【００８３】
その後、移動端末３００−１にて、情報提供サーバ１００から送信されてきた提供情報が表示される（ステップＳ１０）。
【００８４】
図１４は、ステップＳ１０にて移動端末３００−１に表示される提供情報の他の例を示す図である。ここでは、提供情報がＡ店の南館のフロア情報である場合を例に挙げて示す。
【００８５】
図１４に示すように、移動端末３００−１へ送信された提供情報であるＡ店の南館フロア情報が表示される。このように、Ａ店の南館には、紳士服売り場、靴店、スポーツ用品や旅行グッヅ等の売り場がマップとして表示される。
【００８６】
また、Ａ店の南館のフロア情報としては、図１４に示したようなフロアマップだけではなく、南館の様々な情報が提供情報として送信されてくる場合は、それらを表示するものであっても良い。
【００８７】
図１５は、ステップＳ１０にて移動端末３００−１に表示される提供情報の一例を示す図である。ここでは、提供情報がＡ店の南館の情報である場合を例に挙げて示す。
【００８８】
図１５に示すように、移動端末３００−１にＡ店の南館の情報が表示される。図１５では、Ａ店の南館で販売される商品の割引情報や、南館の特設ステージで行われるショーについての情報が表示される。また、これに限らず、Ａ店の企業情報等が表示されるものであっても良い。
【００８９】
以上、情報源のうち、移動端末に近い側の情報、つまり、情報源に対する移動端末の相対位置が南側である場合は、情報源の南側の情報を提供し、また情報源に対する移動端末の相対位置が北側である場合は、情報源の北側の情報を提供する場合を説明した。しかし、本発明は、情報源に対する移動端末の相対位置に応じた情報を提供するものであるため、逆側の情報を提供するものであっても良いことは言うまでもない。以下に、具体的な例を挙げて説明する。
【００９０】
図１６は、情報源に対する移動端末３００−１の相対位置と逆側の情報を送信する場合の動作を説明するための図である。
【００９１】
図１６に示すように、情報源である駅６００に対して移動端末３００−１が南側に位置している場合、移動端末３００−１へ駅６００の裏側である北口の情報が送信される。このように、逆側の情報を送信することにより、移動端末３００−１を所持している者から見える場所ではなく、見えない場所の情報を提供することができる。
【００９２】
また、情報源に対する移動端末３００−１〜３００−２の方角範囲（０°以上３６０°未満）のうち、一部の方角範囲のみ（例えば、９０°以上２７０°未満のみ）と提供情報識別情報が対応付けられて記憶されているものであっても良い。この場合、情報提供サーバ１００から移動端末３００−１〜３００−２へメニュー情報が送信される前に、移動端末３００−１〜３００−２の端末位置情報が、移動端末３００−１〜３００−２から情報提供サーバ１００へ送信される。そして、移動端末３００−１〜３００−２から送信されてきた端末位置情報とすべての情報源それぞれの情報源位置情報とに基づいてそれぞれ算出された相対位置が、上述した一部の方角範囲に含まれる情報源のみから構成されるメニュー情報が情報提供サーバ１００にて生成されて、情報提供サーバ１００から移動端末３００−１〜３００−２へ送信されるものであっても良い。
【００９３】
このように、本発明においては、閲覧者の立場に適した情報を提供することができる。
【００９４】
上述した情報提供サーバ１００に設けられた各構成要素が行う処理は、目的に応じてそれぞれ作製された論理回路で行うようにしても良い。また、処理内容を記述したプログラムを情報提供サーバ１００にて読取可能な記録媒体に記録し、この記録媒体に記録されたプログラムを情報提供サーバ１００に読み込ませ、実行するものであっても良い。情報提供サーバ１００にて読取可能な記録媒体とは、フロッピー（登録商標）ディスク、光磁気ディスク、ＤＶＤ、ＣＤなどの移設可能な記録媒体の他、情報提供サーバ１００に内蔵されたＲＯＭ、ＲＡＭ等のメモリやＨＤＤ等を指す。この記録媒体に記録されたプログラムは、情報提供サーバ１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００９５】
１００    情報提供サーバ
１１０    メニュー記憶部
１２０    対応付け情報記憶部
１３０    相対位置算出部
１４０    検索部
１５０    取得部
１６０    通信部
２００    提供情報データベース
３００−１〜３００−２    移動端末
４００    ネットワーク
５００    Ａ店
６００    駅
【図１】
0005408752.tif 000002
【図２】
0005408752.tif 000003
【図３】
0005408752.tif 000004
【図４】
0005408752.tif 000005
【図５】
0005408752.tif 000006
【図６】
0005408752.tif 000007
【図７】
0005408752.tif 000008
【図８】
0005408752.tif 000009
【図９】
0005408752.tif 000010
【図１０】
0005408752.tif 000011
【図１１】
0005408752.tif 000012
【図１２】
0005408752.tif 000013
【図１３】
0005408752.tif 000014
【図１４】
0005408752.tif 000015
【図１５】
0005408752.tif 000016
【図１６】
0005408752.tif 000017